(57)【要約】【課題】足踏み不要の電動式モップ脱水機の提供。【解決手段】本考案の足踏み不要の電動式モップ脱水機は、バケツ容器、脱水ユニット、モータ、制御ユニット、充電池、充電ポートを含み、そのうち前記脱水ユニットが脱水かごと前記脱水かごを支持するシャフトを含み、前記シャフトが弾性昇降ユニット上に架設され、前記弾性昇降ユニット下方に前記制御ユニットに電気的に接続された作動スイッチが設置され、使用者がモップを前記脱水かごに入れた後、少し施力するだけで前記脱水かごを沈下させ、前記作動スイッチをオンにし、前記制御ユニットが前記モータにあらかじめ設定された時間内運転を行わせることができ、手間がかからず迅速に脱水を行うという目的を達することができる。【選択図】図２
0003162355.tif 000002
【実用新案登録請求の範囲】
【請求項１】
足踏み不要の電動式モップ脱水機であって、少なくともバケツ容器と、前記バケツ容器内に設置され、モップの脱水を行う脱水ユニットと、前記脱水ユニットの回転を駆動するモータと、前記モータの運転状態のオン・オフを制御する前記制御ユニットと、前記制御ユニットに電源を供給する充電池と、前記制御ユニットに電気的に接続された充電ポートとを含み、
前記脱水ユニットが脱水かごと、前記水かごを支持するシャフトを含み、前記シャフトが弾性昇降ユニット上に架設され、且つ前記バケツ容器内に前記弾性昇降ユニット周辺に位置し、且つ前記制御ユニットに電気的に接続され、前記弾性昇降ユニットの下降時に前記モータの運転をトリガして作動させる作動スイッチが設置されたことを特徴とする、足踏み不要の電動式モップ脱水機。
【請求項２】
前記制御ユニットに接続された少なくとも１つの安全スイッチを含むことを特徴とする、請求項１に記載の足踏み不要の電動式モップ脱水機。
【請求項３】
前記安全スイッチが前記充電ポート内に設置され、前記充電ポート周縁に前記充電ポート内に挿入したとき前記安全スイッチをオンにするキャップが設置されたことを特徴とする、請求項２に記載の足踏み不要の電動式モップ脱水機。
【請求項４】
前記シャフトが磁性金属から構成され、前記シャフトの上端が前記脱水かご内に露出され、前記安全スイッチがリードスイッチであり、前記シャフト下端の周縁に設置され、前記モップの下端に前記脱水かごに入れると前記シャフトの上端に吸着し、前記シャフトの下端に吸引力を生む磁石が設置されたことを特徴とする、請求項２に記載の足踏み不要の電動式モップ脱水機。
【請求項５】
前記安全スイッチが前記バケツ容器内に埋設され、且つ前記脱水かごに接近したＲＦＩＤリーダであり、前記モップの下端に前記脱水かごに入れると前記安全スイッチの有効検出範囲に入るＲＦＩＤタグが設置されたことを特徴とする、請求項２に記載の足踏み不要の電動式モップ脱水機。
【請求項６】
前記充電池と前記制御ユニットの間にコネクタを備えたワイヤアッセンブリが設置されたことを特徴とする、請求項１に記載の足踏み不要の電動式モップ脱水機。
【請求項７】
前記脱水ユニットが前記脱水かごの上部に嵌合される脱水盤を含むことを特徴とする、請求項１に記載の足踏み不要の電動式モップ脱水機。
【請求項８】
前記作動スイッチが弾性昇降ユニットの下降時にタッチ感知反応を生じるタッチボタンであることを特徴とする、請求項１に記載の足踏み不要の電動式モップ脱水機。
【請求項９】
前記作動スイッチが弾性昇降ユニットの下降時に非接触の感知を行うセンサであることを特徴とする、請求項１に記載の足踏み不要の電動式モップ脱水機。
【考案の詳細な説明】
【技術分野】
【０００１】
本考案は脱水装置の構造技術に関し、特に、足踏み方式を使用せずに操作を行うことができる、足踏み不要の電動式モップ脱水機に関する。
【背景技術】
【０００２】
現在市販されているモータで脱水かごの回転を駆動する脱水機は、使用者がスイッチペダルを踏む方式で脱水かごの回転を起動する必要があり、使用時は片足でペダルを踏まなければならないため、片足で立つ状態となり、使用上非常に不便である。また、ペダルの設置が子供の興味を引き、遊びに使用されやすい。
【０００３】
このため、本考案の考案者はモータを備えた脱水機の特性に対して研究を行い、一般の脱水機とは異なる足踏み不要の電動式モップ脱水機の考案に至った。
【考案の概要】
【考案が解決しようとする課題】
【０００４】
本考案の主な目的は、足踏み不要の電動式モップ脱水機を提供することにある。
【課題を解決するための手段】
【０００５】
上述の目的を達するため、本考案の足踏み不要の電動式モップ脱水機は、少なくともバケツ容器と、前記バケツ容器内に設置され、モップの脱水を行う脱水ユニットと、前記脱水ユニットの回転を駆動するモータと、前記モータの運転状態のオン・オフを制御する制御ユニットと、前記制御ユニットに電源を供給する充電池と、前記制御ユニットに電気的に接続された充電ポートを含み、そのうち、前記脱水ユニットが脱水かごと、前記脱水かごを支持するシャフトを含み、前記シャフトが弾性昇降ユニット上に架設され、且つ前記バケツ容器内に前記弾性昇降ユニットの周辺に位置し、且つ前記制御ユニットに電気的に接続され、前記弾性昇降ユニットの下降時に前記モータの運転をトリガして作動させる作動スイッチが設置される。
【０００６】
使用者はモップを脱水かご内に入れ、モップを脱水かごに対して下方向に押す力を加えるだけで、弾性昇降ユニットを下降させて作動スイッチをオンにし、脱水かごを駆動して高速回転させ、脱水を行うことができ、手間がかからず、迅速に脱水を行うという目的を達することができる。
【０００７】
うっかり脱水かごに触れて高速回転が発生してしまうことを防止するため、本考案はさらに前記制御ユニットに電気的に接続された安全スイッチを設置しており、前記安全スイッチがオンでない状況において、前記弾性昇降ユニットが前記作動スイッチをトリガする位置まで下降しても、前記制御ユニットはモータを起動せず、うっかり脱水かごに触れて高速回転が発生してしまうことがない。
【考案の効果】
【０００８】
先行技術と比較して、本考案には少なくとも次のような利点がある。
１、使用者が片足で立たなければならない状況の発生を回避できる。
２、安全スイッチの設置により、うっかり脱水かごに触れて高速回転を発生させてしまうことがない。
３、コネクタのワイヤアッセンブリを備え、充電池の交換作業がより容易である。
【図面の簡単な説明】
【０００９】
【図１】本考案の実施例１の上面図である。
【図２】本考案の実施例１の部分断面図である。
【図３】本考案の実施例１の作動前の状態を示す断面図である。
【図４】本考案の実施例１の作動後の状態を示す断面図である。
【図５】本考案の実施例２の電気接続構成を示すブロック図である。
【図６】本考案の実施例２の立体外観図である。
【図７】本考案の実施例３の立体外観図である。
【図８】本考案の実施例４の部分断面図である。
【図９】本考案の実施例５の部分断面図である。
【図１０】本考案の実施例６の部分断面図である。
【考案を実施するための形態】
【００１０】
以下、本考案の技術手段に基づき、本考案に適した実施方式について、図面を併せて参照しながら説明する。
【実施例１】
【００１１】
図１と図２に本考案の実施例１の上面図および部分断面図をそれぞれ示す。図に示す足踏み不要の電動式モップ脱水機は主にバケツ容器１０、脱水ユニット２０、モータ３０、制御ユニット４０、充電池５０、充電ポート６０を含む。
【００１２】
脱水ユニット２０はバケツ容器１０内に設置され、脱水かご２１と前記脱水かご２１を支持するシャフト２２を含み、前記シャフト２２は弾性昇降ユニット２３上に架設され、前記弾性昇降ユニット２３は前記シャフト２２の下端が架設される昇降台２３１と、前記バケツ容器１０上に前記昇降台２３１を穿設するために用いる複数の導引柱２３２と、前記昇降台２３１と前記バケツ容器１０の間に設置された少なくとも１つの弾性部材２３３を含み、前記弾性部材２３３は前記導引柱２３２上に被着したバネまたはその他同等効果の部材とすることができ、前記弾性昇降ユニット２３の下方に前記制御ユニット４０に電気的に接続され、トリガされると前記モータ３０の運転を作動させる作動スイッチ７０が設置され、この実施例の前記作動スイッチ７０はタッチボタンであり、前記昇降台２３１の下方に設置される。
【００１３】
前記モータ３０は複数の歯車３１を通して伝動し、前記脱水ユニット２０を回転させるために用いられ、前記モータ３０は前記制御ユニット４０がそのオン・オフ状態を制御する。前記充電池５０はコネクタ５１を備えたワイヤアッセンブリ５２により前記制御ユニットに接続され、前記充電ポート６０は前記制御ユニット４０に電気的に接続され、電源を取得して前記充電池５０に対して充電を行う。
【００１４】
図３、図４に本考案の実施例１の作動前の状態を示す断面図、作動後の状態を示す断面図をそれぞれ示す。平常状態下では、前記昇降台２３１が前記弾性部材２３３によって上に向かって付勢され、前記昇降台２３１と前記作動スイッチ７０に適切な間隔が保持される。前記脱水かご２１が一定程度の下圧力を受けて前記シャフト２２を介し前記昇降台２３１を下降させ、前記作動スイッチ７０を押すと、前記モータ３０が前記制御ユニット４０の制御に基づいてあらかじめ設定された時間の運転を行い、例えば４〜６秒運転した後運転を停止するなど、前記脱水かご２１を駆動して高速回転させ、脱水を行うことができ、手間がかからず、迅速に脱水を行うという目的を達することができる。
【実施例２】
【００１５】
図５と図６に本考案の実施例２の電気的接続構成を示すブロック図、立体外観図をそれぞれ示す。実施例１と比較すると、さらに少なくとも１つの前記制御ユニット４０に電気的に接続された安全スイッチ８０が設置される。この安全スイッチ８０は一般的な押しボタンスイッチであり、前記バケツ容器１０の上面またはその他やや隠れた場所に設置する。前記安全スイッチ８０がオンでない状況において、前記作動スイッチ７０がトリガされても、前記制御ユニット４０はモータを起動せず、使用者や子供、ペットがうっかり脱水かごに触れて高速回転が発生してしまうことがない。実施時はさらに少なくとも１つのインジケータ９０を組み合わせてモータ３０の運転状態や充電池５０の電力状態等に対し情報を表示させることができる。
【実施例３】
【００１６】
図７に本考案の実施例３の立体外観図を示す。この実施例の安全スイッチ８０は、前記充電ポート６０内に設置され、例えば弾性片の態様で前記充電ポート６０内部辺縁に設置することができ、かつ前記充電ポート６０周縁に前記充電ポート６０内に挿入すると前記安全スイッチ８０をオンにするキャップ８１が設置され、このキャップ８１は同時に前記充電ポート６０に水がかからないよう防止する効果も備えている。この安全スイッチ８０は、前記充電ポート６０に充電のため電源が差し込まれたときもオンの状態となる。このほか、本実施例の脱水ユニット２０はさらに前記脱水かご２１上部に嵌合できる脱水盤２４を含み、前記脱水盤２４を前記脱水かご２１上部に嵌合したとき、前記脱水かご２１に雑巾やその他の濡れた小物を入れて脱水を行う際に、小物が前記脱水かご２１から離脱しないようにすることができる。
【実施例４】
【００１７】
図８に本考案の実施例４の部分断面図を示す。この実施例はシャフト２２が磁性金属から構成され、前記シャフト２２の上端が前記脱水かご２１内に露出され、安全スイッチ８０はリードスイッチであり、前記シャフト２２下端の周縁に設置され、モップ１００の下端に前記脱水かご２１に入れると前記シャフト２２の上端に吸着し、前記シャフト２２の下端に吸引力を生む磁石８２が設置される。前記安全スイッチ８０は吸引力を感知するとオンの状態となる。この図中に示す安全スイッチ８０はオンの状態であり、且つ前記作動スイッチ７０が押された態様を示している。反対に、安全スイッチ８０が吸引力を感知しないと、前記脱水かご２１が一定程度の下圧力を受けて作動スイッチ７０が押されても、制御ユニット４０がモータ３０の運転を駆動せず、誤接触を防止する作用を備えている。
【実施例５】
【００１８】
図９に本考案の実施例５の部分断面図を示す。この実施例に示す安全スイッチ８０は、前記バケツ容器１０内に埋設され、且つ前記脱水かご２１に接近したＲＦＩＤリーダ(ＲＦＩＤ Ｒｅａｄｅｒ)であり、前記モップ１００の下端に前記脱水かご２１に入れると前記安全スイッチ８０の有効検出範囲に入るＲＦＩＤタグ８３(ＲＦＩＤ Ｔａｇ)が設置され、前記安全スイッチ８０が有効なＲＦＩＤタグ８３を検出するとオンの状態となる。この図中に示す安全スイッチ８０は作動状態であり、且つ前記作動スイッチ７０が押された態様を示している。反対に、前記安全スイッチ８０が有効なＲＦＩＤタグ８３を検出しないときは、前記脱水かご２１が一定程度の下圧力を受けて作動スイッチ７０が押されても、制御ユニット４０がモータ３０の運転を駆動せず、誤接触を防止する作用を発揮する。
【実施例６】
【００１９】
図１０に本考案の実施例６の部分断面図を示す。この実施例は作動スイッチ７０が弾性昇降ユニット２３の下降時に非接触の感知を行うセンサであり、例えば、弾性昇降ユニット２３が磁性を備えている場合、作動スイッチ７０は磁力感知によりオン・オフの切り換えを行うセンサとすることができる。
【００２０】
以上の説明及び図面は、本考案の最良の実施例を示したものであり、本考案を限定するものではなく、本考案の明細書及び図面の内容を運用した同等効果の変化はすべて本考案の請求の範囲内に含まれる。
【符号の説明】
【００２１】
１０      バケツ容器
２０      脱水ユニット
２１      脱水かご
２２      シャフト
２３      弾性昇降ユニット
２３１    昇降台
２３２    導引柱
２３３    弾性部材
２４      脱水盤
３０      モータ
３１      歯車
４０      制御ユニット
５０      充電池
５１      コネクタ
５２      ワイヤアッセンブリ
６０      充電ポート
７０      作動スイッチ
８０      安全スイッチ
８１      キャップ
８２      磁石
８３      ＲＦＩＤタグ
９０      インジケータ
【図１】
0003162355.tif 000003
【図２】
0003162355.tif 000004
【図３】
0003162355.tif 000005
【図４】
0003162355.tif 000006
【図５】
0003162355.tif 000007
【図６】
0003162355.tif 000008
【図７】
0003162355.tif 000009
【図８】
0003162355.tif 000010
【図９】
0003162355.tif 000011
【図１０】
0003162355.tif 000012
【手続補正書】
【提出日】平成22年3月18日(2010.3.18)
【手続補正１】
【補正対象書類名】実用新案登録請求の範囲
【補正対象項目名】請求項１
【補正方法】変更
【補正の内容】
【請求項１】
足踏み不要の電動式モップ脱水機であって、少なくともバケツ容器と、前記バケツ容器内に設置され、モップの脱水を行う脱水ユニットと、前記脱水ユニットの回転を駆動するモータと、前記モータの運転状態のオン・オフを制御する制御ユニットと、前記制御ユニットに電源を供給する充電池と、前記制御ユニットに電気的に接続された充電ポートとを含み、
前記脱水ユニットが脱水かごと、前記脱水かごを支持するシャフトを含み、前記シャフトが弾性昇降ユニット上に架設され、且つ前記バケツ容器内に前記弾性昇降ユニット周辺に位置し、且つ前記制御ユニットに電気的に接続され、前記弾性昇降ユニットの下降時に前記モータの運転をトリガして作動させる作動スイッチが設置されたことを特徴とする、足踏み不要の電動式モップ脱水機。